(57)【要約】【課題】プロセスデータのグラフにコメントを付加する。【解決手段】収集したプロセスデータを表示器７にグラフィック表示するとともに、入力される複数種類のアラーム・イベントを記憶保持するプロセス監視装置４において、複数種類のプロセスデータを複数種類のプロセスデータの集合からなる複数のグループに区分けするプロセスデータ区分け手段１１と、指定されたグループに所属する各プロセスデータをプロセスデータ収集ファイル２０から読出して表示器に同時に時刻を横軸としてグラフィック表示するグループ表示手段１５と、アラーム・イベントの発生に関連して操作入力されたコメント２７を作成済コメントファイル２２に記憶保持するコメント作成手段１６と、グラフィック表示された各プロセスデータの各時刻位置に、該当時刻で発生したアラーム・イベント及びコメントを重ね表示する重ね表示手段１６とを有する。【選択図】    図２
2004199258.tif 000002
【特許請求の範囲】
【請求項１】
プラントを制御する制御装置から入力される複数種類のプロセスデータを収集してプロセスデータ収集ファイル内に収集時刻を付して記憶保持し表示器にグラフィック表示するとともに、制御装置から入力される複数種類のアラーム・イベントを発生時刻及び関連するプロセスデータ名称を付してアラーム・イベント発生履歴ファイルに記憶保持するプロセス監視装置において、
前記複数種類のプロセスデータを複数種類のプロセスデータの集合からなる複数のグループに区分けするプロセスデータ区分け手段と、
指定されたグループに所属する各プロセスデータを前記プロセスデータ収集ファイルから読出して前記表示器に同時に時刻を横軸としてグラフィック表示するグループ表示手段と、
前記アラーム・イベントの発生に関連して操作入力されたコメントを作成済コメントファイルに記憶保持するコメント作成手段と、
前記グループ表示手段でグラフィック表示された各プロセスデータの各時刻位置に、該当時刻で発生したアラーム・イベント及びコメントを重ね表示する重ね表示手段と
を備えたことを特徴とするプロセス監視装置。
【請求項２】
前記グループ表示手段は、収集時間帯のみが互いに異なる同一グループに所属する複数組のプロセスデータを、前記表示器の表示画面上において、並べて表示することを特徴とする請求項１記載のプロセス監視装置。
【請求項３】
前記制御装置から入力される複数種類のプロセスデータの種別を操作入力されたキーワードで検索するプロセスデータ検索手段と、
このプロセスデータ検索手段で検索された各種別のプロセスデータを一つのグループとしてグラフィック表示する検索データ表示手段と
を備えたことを特徴とする請求項１記載のプロセス監視装置。
【請求項４】
前記アラーム・イベント発生履歴ファイルに記憶保持された複数のアラーム・イベントを前記表示器に一覧表示する一覧表示手段と、
指定されたアラーム・イベントに対応するプロセスデータにおける指定されたアラーム・イベントの発生時刻を含む時間範囲のデータを前記表示器にグラフィック表示する指定データ表示手段と
を備えたことを特徴とする請求項１又は３記載のプロセス監視装置。
【発明の詳細な説明】
【０００１】
【発明の属する技術分野】
本発明は、プラントを制御する制御装置から入力される複数種類のプロセスデータ及びアラーム・イベントを収集して表示器に表示するプロセス監視装置に関する。
【０００２】
【従来の技術】
大規模プラントには多数の設備が組込まれている。そして、各設備の動作はそれぞれ専用の制御装置で制御される。そして、各制御装置で得られた制御対象の各設備のプロセスデータ及び各設備で発生したアラーム・イベントは例えば中央管理室に設置されたコンピュータからなるプロセス監視装置にＬＡＮ等の通信回線を介して集められる。
【０００３】
なお、アラームとは該当施設から出力される各プロセスデータが例えば予め定められた許容範囲を外れた場合に出力される警告である。一方、イベントとは、該当設備に対して何らかの操作が実施され、該当設備の動作環境が変化した場合に出力される情報（事象）である。
【０００４】
そして、プロセス監視装置は、時系列的に入力された複数種類のプロセスデータを実時間で表示器にグラフィック表示したり、一旦プロセスデータ収集ファイルに格納したのち読出して表示器にグラフィック表示する。同様に、時系列的に入力された各アラーム・イベントを実時間で表示器に表示したり、一旦アラーム・イベント収集ファイルに格納したのち読出して表示器に表示する（例えば、特許文献１参照）。
【０００５】
【特許文献１】
特開２００１―８４０３４号公報
【０００６】
【発明が解決しようとする課題】
しかしながら、上述したプロセス監視装置においては、各プロセスデータと発生した各アラーム・イベントとは一つの表示器における別々の表示画面に表示出力される。また、各アラーム・イベントは発生した時刻順（時系列的）に一覧表の形式で表示される。
【０００７】
したがって、このプロセス監視装置の表示器に個別に表示される各プロセスデータと発生した各アラーム・イベントとを監視する監視員（操作者）にとって、各プロセスデータと各アラーム・イベントとの関係が即座に把握できない問題がある。特に、一つの表示画面に多くのプロセスデータが表示されている場合、どのプロセスデータにアラーム・イベントが発生したのか即座に把握できなく、かつ誤って判断する懸念がある。
【０００８】
さらに、アラームやイベントが発生ときに、このアラームやイベントが何に起因するものか、さらに、アラーム発生に応して、このアラームを解除するための対策を実施した場合は、このプロセス監視装置の監視員（操作者）は、このアラームやイベントに対して短いコメントを例えばノートに記載して残して、後からこのプロセスデータを再度確認する場合の参考とする場合がある。
【０００９】
しかし、その都度、ノートに記載されたコメントを読むことは、プロセス監視装置の監視員（操作者）にとって、非常に煩雑なことである。
【００１０】
本発明は、このような事情に鑑みてなされたものであり、表示画面上における表示フォーマットと表示内容を工夫することにより、監視装置の監視員（操作者）にとって、入力されたプロセスデータ及び関連する情報を、表示画面を一瞥するのみで把握でき、監視性能及び操作性能を大幅に向上できるプロセス監視装置を提供することを目的とする。
【００１１】
【課題を解決するための手段】
上記課題を解消するために、本発明は、プラントを制御する制御装置から入力される複数種類のプロセスデータを収集してプロセスデータ収集ファイル内に収集時刻を付して記憶保持し表示器にグラフィック表示するとともに、制御装置から入力される複数種類のアラーム・イベントを発生時刻及び関連するプロセスデータ名称を付してアラーム・イベント発生履歴ファイルに記憶保持するプロセス監視装置において、複数種類のプロセスデータを複数種類のプロセスデータの集合からなる複数のグループに区分けするプロセスデータ区分け手段と、指定されたグループに所属する各プロセスデータをプロセスデータ収集ファイルから読出して表示器に同時に時刻を横軸としてグラフィック表示するグループ表示手段と、アラーム・イベントの発生に関連して操作入力されたコメントを作成済コメントファイルに記憶保持するコメント作成手段と、グループ表示手段でグラフィック表示された各プロセスデータの各時刻位置に、該当時刻で発生したアラーム・イベント及びコメントを重ね表示する重ね表示手段とを備えている。
【００１２】
このように構成されたプロセス監視装置においては、制御装置からアラーム・イベントが入力されると、必要に応じてこの発生したアラーム・イベントに対して短いコメントをこのプロセス監視装置に対して設定可能である。そして、発生したアラーム・イベント、及び監視員（操作者）が入力したコメントは、グラフィック表示された複数のプロセスデータにおける対応するプロセスデータの該当時刻位置に重ね表示される。
【００１３】
したがって、監視装置の監視員（操作者）にとって、入力されたプロセスデータ及び関連するアラーム・イベント、コメント等の情報を表示画面を一瞥するのみで把握できる。
【００１４】
また、別の発明は、上述した発明のプロセス監視装置におけるグループ表示手段は、収集時間帯のみが互いに異なる同一グループに所属する複数組のプロセスデータを、表示器の表示画面上において、並べて表示する。
【００１５】
このように構成されたプロセス監視装置においては、収集時間帯のみが互いに異なる同一グループに所属する複数組のプロセスデータが表示器の表示画面上に並べて表示される。したがって、アラーム・イベントが発生すると、同一プロセスデータにおけるアラーム・イベントが発生していない過去のデータと比較対照できる。
【００１６】
また、別の発明は、上述した発明のプロセス監視装置において、さらに、制御装置から入力される複数種類のプロセスデータの種別を操作入力されたキーワードで検索するプロセスデータ検索手段と、このプロセスデータ検索手段で検索された各種別のプロセスデータを一つのグループとしてグラフィック表示する検索データ表示手段とを備えている。
【００１７】
このように構成されたプロセス監視装置においては、監視装置の監視員（操作者）はプロセスデータの種別をキーワードで検索して、互いに関連する１個又は複数のプロセスデータを表示器にグラフィック表示させることが可能である。
【００１８】
また、別の発明は、上述した発明のプロセス監視装置において、さらに、アラーム・イベント発生履歴ファイルに記憶保持された複数のアラーム・イベントを表示器に一覧表示する一覧表示手段と、指定されたアラーム・イベントに対応するプロセスデータにおける指定されたアラーム・イベントの発生時刻を含む時間範囲のデータを表示器にグラフィック表示する指定データ表示手段とを備えている。
【００１９】
このように構成されたプロセス監視装置においては、一覧表示された多数のアラーム・イベントの中から一つ又は複数のアラーム・イベントを指定すると、このアラーム・イベントに対応するプロセスデータがグラフィック表示される。
【００２０】
【発明の実施の形態】
以下、本発明の一実施形態を図面を用いて説明する。
【００２１】
図１は本発明の一実施形態に係るプロセス監視装置が組込まれたプラント制御システムの概略構成図である。
【００２２】
ＬＡＮ等の伝送路１に対して、プラントに組込まれた設備等の制御対象２を制御する複数の制御装置３及び１台のプロセス監視装置４が接続されている。プロセス監視装置４は、一種のコンピュータで構成されており、外部にプリンタ５が接続され、内部に、データベース（ＤＢ）６、表示器７、キーボード８、実際に監視処理を実施する主処理部９が設けられている。
【００２３】
このプロセス監視装置４は、基本的に、各制御装置３から伝送路１を介して入力される複数種類のプロセスデータを収集してデータベース（ＤＢ）６へ書込む。さらに、プロセス監視装置４は各制御装置３から伝送路１を介して入力される複数種類のアラーム・イベントを収集してデータベース（ＤＢ）６へ書込む。そして、必要に応じて、収集したプロセスデータ及びアラーム・イベントを表示器７に表示出力する。
【００２４】
図２はコンピュータで構成されたプロセス監視装置４の概略構成を示すブロック図である。このプロセス監視装置４内には、このプロセス監視装置４の監視員（操作者）がコメント、キーワード等の各種情報や操作指令を入力するキーボード８、各制御装置３と情報交換を実施する通信部１０、表示器７、及びデータベース６が設けられている。
【００２５】
さらに、このプロセス監視装置４内には、主処理部９におけるアプリケーション・プログラム上に形成された、プロセスデータ区分け部１１、プロセスデータ書込部１２、アラーム・イベント書込部１３、コメント作成部１４、グループ表示部１５、重ね表示部１６が設けられている。
【００２６】
データベース６内には、プロセスデータ登録ファイル１７、アラーム・イベント登録ファイル１８、プロセスデータ区分け登録ファイル１９、プロセスデータ収集ファイル２０、アラーム・イベント発生履歴ファイル２１、作成済コメントファイル２２が形成されている。
【００２７】
プロセスデータ登録ファイル１７内には、図３に示すように、このプロセス監視装置４で取扱う各制御装置３から入力される、例えば、２０４８種別のプロセスデータ１〜２０４８における各プロセスデータの種別毎に、該当プロセスデータの名称（信号名称（タグＮｏ））、通信部１０内のデータ収集アドレス、データ収集周期、この該当プロセスデータに関連するｎ個のアラーム・イベントの種別が記憶されている。
【００２８】
すなわち、該当プロセスデータに対して多数のアラーム・イベントが発生したとしても、このプロセスデータ登録ファイル１７内に登録されているｎ種別以外のアラーム・イベントは、アラーム・イベント発生履歴ファイル２１に記憶保持されない。
【００２９】
アラーム・イベント登録ファイル１８内には、図４に示すように、このプロセス監視装置４で取扱う各制御装置３から入力される、例えば、ｍ種別のアラーム・イベントにおける各アラーム・イベントの種別毎に、該当アラーム・イベントの名称（信号名称（タグＮｏ））が登録されている。
【００３０】
プロセスデータ区分け登録ファイル１９内には、図５に示すように、プロセスデータ登録ファイル１７内に登録されている２０４８種別のプロセスデータ１〜２０４８が、群２３、グループ２４、ペン２５にツリー状に区分けされた状態で記憶されている。具体的には、ペン２５は１個のプロセスデータで構成され、グループ２４は８個のペン２５（８個のプロセスデータ）で構成され、群２３は４個のグループ２４（３２個のプロセスデータ）で構成されている。そして、８個のペン２５（８個のプロセスデータ）からなるグループ２４単位で、プロセスデータが表示器７にグラフィック表示される。このプロセスデータ区分け処理はこのプロセス監視装置４の監視員（操作者）が行う。
【００３１】
プロセスデータ収集ファイル２０内には、図６に示すように、通信部１０から入力された２０４８種別のプロセスデータ種別毎に、各データを収集時刻（年、月、日、時、分、秒）ともに時系列的に記憶する２０４８個の領域２６が形成されている。
【００３２】
アラーム・イベント発生履歴ファイル２１内には、図７に示すように、通信部１０から入力された各アラーム・イベントのうち、図３のプロセスデータ登録ファイル１７に登録された種別の各アラーム・イベントにおける発生時刻（年、月、日、時、分、秒）、アラーム・イベント名称（信号名称（タグＮｏ））が時系列的に記憶されている。
【００３３】
作成済コメントファイル２２内には、図８に示すように、このプロセス監視装置４の監視員（操作者）がキーボード８を用いて作成したコメント（文字データ）２７が、作成時刻（アラーム・イベントの発生時刻  年、月、日、時、分、秒）及び対応するプロセスデータ名称（信号名称（タグＮｏ））が付されて時系列的に記憶されている。
【００３４】
図９は表示器７における一つのグループ２４に所属する８個（８個のペン）のプロセスデータが表示された状態を示す図である。図１０は表示画面の上部部分の拡大図であり、図１１は表示画面の中央部分の拡大図である。
図示するように、表示画面の上部部分には、ペンＮｏ１〜ペンＮｏ８の各プロセスデータのペンＮｏ、タグＮｏ、プロセスデータ名称（信号名称）、単位、上限、下限等の属性２８が表示される。また、最上位に群番号、グループ番号も表示される。表示画面の中央部には、ペンＮｏ１〜ペンＮｏ８の各プロセスデータの各グラフィックデータ２９が横軸を時間軸として表示される。
【００３５】
グラフィックデータ２９の途中位置に付された黒丸３１は、この黒丸３１の時刻にアラーム・イベントが発生したことを示す。この黒丸３１の近傍の枠３０内に、該当黒丸３１時間位置で該当プロセスデータ（グラフィックデータ２９）に対して発生したアラーム・イベント３８や設定されたコメント２７、発生時刻等が表示される。
【００３６】
表示画面の下部部分には、グループ表示ボタン３２、グループ選択ボタン３３、イベント選択ボタン３４、コメント表示ボタン３５、アラーム・コメント非表示ボタン３６、コメント作成ボタン３７等が表示される。
【００３７】
そして、プロセス監視装置４の主処理部９は、図１２に示すメイン処理を実施する。
【００３８】
キーボード８から、プロセスデータに対する区分け指令が入力すると（Ｓ１）、プロセスデータ区分け部１１が起動して、図１３に示すプロセスデータの区分け処理を実施する（Ｓ２）。
【００３９】
図１３のプロセスデータ区分け処理において、図３に示すプロセスデータ登録ファイル１７に記憶されている２０４８個のプロセスデータの名称を表示器７にスクロール表示する（Ｑ１）。次に、監視員（操作者）にて１群、３２個のプロセスデータの名称が指定されると（Ｑ２）、図５に示すプロセスデータ区分け登録ファイル１９の一つの群２３に登録する（Ｑ３）。この登録した３２個のプロセスデータの名称から、１グループ、８個のプロセスデータの名称が指定されると（Ｑ４）、図５に示すプロセスデータ区分け登録ファイル１９の一つのグループ２４に登録する（Ｑ５）。この登録した８個のプロセスデータの名称に対してＮｏ１〜Ｎｏ８のペン番号（Ｎｏ）の割付が指定されると（Ｑ６）、図５に示すプロセスデータ区分け登録ファイル１９に各ペン番号（Ｎｏ）を登録する（Ｑ７）。
【００４０】
以上の処理を、全てのグループ２４（Ｑ８）、及び全ての群２３（Ｑ９）に亘って繰返すことにより、プロセスデータ登録ファイル１７に記憶されている２０４８個のプロセスデータの区分け処理を終了する。
【００４１】
図１２におけるＳ３にて、通信部１０を介して、一つのプロセスデータが入力すると、プロセスデータ書込部１２が起動して、この入力したプロセスデータを入力時刻を付して、図６に示すプロセスデータ収集ファイル２０の対応する領域２６へ書込む（Ｓ４）。また、通信部１０を介して、一つのアラーム・イベントが入力すると、アラーム・イベント書込部１３が起動して、この入力したアラーム・イベントを、発生時刻を付して、図７に示すアラーム・イベント発生履歴ファイル２１へ書込む（Ｓ６）。
【００４２】
また、監視員（操作者）によるプロセスデータに対するグラフィック表示指示が入力されると（Ｓ７）、グループ表示部１５が起動して、図１４、図１５に示すプロセスデータグラフ表示処理を実施する（Ｓ８）。
【００４３】
図１４、図１５に示すプロセスデータグラフ表示処理が開始されると、図５に示すプロセスデータ区分け登録ファイル１９の区分け情報を表示器７に表示する（Ｒ１）。監視員（操作者）が、表示画面の下部のグループ選択ボタン３３で、群２３、グループ２４を選択し（Ｒ２）、表示期間を指定し、グループ表示ボタン３２をクリックすると（Ｒ３）、該当期間の該当グループ２４における８個のペン２５のプロセスデータを図６に示すプロセスデータ収集ファイル２０から読出す。そして、８つのプロセスデータを図９に示すように、表示器７にグラフィック表示する（Ｒ４）。
【００４４】
次に、重ね表示部１６が起動して、表示器７にグラフィック表示されたプロセスデータのグラフィックデータ２９における該当期間のアラーム・イベント３８を図７に示すアラーム・イベント発生履歴ファイル２１から読出して、枠３０を付けて、図９に示すように、該当グラフィックデータ２９に重ね表示する（Ｒ５）。
【００４５】
同様に、表示器７にグラフィック表示されたプロセスデータのグラフィックデータ２９における該当期間のコメント２７を図８に示す作成済コメントファイル２２から読出して、枠３０を付けて、図９に示すように、該当グラフィックデータ２９に重ね表示する（Ｒ６）。
【００４６】
監視員（操作者）が２段表示指示を入力すると（Ｒ７）、現在の表示領域を表示画面上の上半分に圧縮する（Ｒ８）。そして、Ｒ３へ戻り、別の表示期間が指定されると、該当表示期間におけるプロセスデータのグラフィックデータ２９を、図１６に示すように、表示器７の表示画面上の下半分に表示する（Ｒ４）。同様に、該当表示期間におけるプロセスデータに関するアラーム・イベント３８、コメント２７を表示器７の表示画面上の下半分に表示する（Ｒ５、Ｒ６）。
【００４７】
図１６は、同一グループ２４の１日（２４時間）分の各プロセスデータのグラフィックデータ２９を１日（２４時間）づらせて、表示器７の表示画面上の上半分及び下半分に表示させた例である。したがって、監視員（操作者）は、例えば、アラーム・イベントが発生すると、同一プロセスデータにおけるアラーム・イベントが発生していない１日（２４時間）前のデータと比較対照できる。
【００４８】
図１４におけるＲ９にて、表示画面上で、監視員（操作者）がアラーム・コメント非表示ボタン３６をクリックすると、図１７に示すように、現在表示中の全てのアラーム・イベント３８、コメント２７を消去する（Ｒ１０）。
【００４９】
表示画面上で、監視員（操作者）がグラフィックデータ２９の黒丸３１をクリックすると（Ｒ１１）、該当プロセスデータの該当時間位置のアラーム・イベント３８、コメント２７を表示する（Ｒ１２）。なお、アラーム・イベント３８、コメント２７が表示状態の黒丸３１をクリックすると、対応するアラーム・イベント３８、コメント２７を消去する。
【００５０】
図１５のＲ１３にて、監視員（操作者）がプロセスデータ名別表示指示を入力し、監視員（操作者）がキーボード８から検索キーワードを入力し（Ｒ１４）、さらに、監視員（操作者）が表示期間を入力すると（Ｒ１５）、図３に示すプロセスデータ登録ファイル１７から、キーワードに対応するプロセスデータ名称（信号名（タグＮｏ））を検索して読出す（Ｒ１６）。この読出した各プロセスデータ名称（信号名（タグＮｏ））における表示期間の各プロセスデータをプロセスデータ収集ファイル２０から読出して、表示器７にグラフィック表示する（Ｒ１７）。さらに、対応するアラーム・イベント３８及びコメント２７を読出してグラフィックデータ２９の黒丸３１近傍に表示する（Ｒ１８）。
【００５１】
図１５のＲ１９にて、監視員（操作者）がアラーム・イベント別表示指示を入力すると、アラーム・イベント発生履歴ファイル２１に記憶された各アラーム・イベントを読出して、図１８に示すように、表示器７にアラーム・イベント履歴一覧３９として表示する（Ｒ２０）。監視員（操作者）が表示されたアラーム・イベント履歴一覧３９から１個又は複数のアラーム・イベントを指定すると（Ｒ２１）、指定されたアラーム・イベントの時刻を中心とする一定期間の対応するプロセスデータをプロセスデータ収集ファイル２０から読出して、表示器７にグラフィック表示する（Ｒ２２）。さらに、対応するコメント２７を読出して表示されたグラフィックデータ２９の黒丸３１近傍に表示する（Ｒ２３）。
【００５２】
図１２におけるＳ９にて、監視員（操作者）が表示画面上のコメント作成ボタン３７をクリックすると、Ｓ１０にてコメント作成部１４が起動して、図１９に示すコメント作成処理を実施する。
【００５３】
図１９のコメント作成処理において、図９に示すように、表示器７に各プロセスデータが表示された状態において、属性２８内のプロセスデータ名称（信号名称（タグＮｏ））がクリックされ（Ｔ１）、時刻（日時）が指定されると（Ｔ２）、図２０に示すコメント設定ウインドウ４０を表示する（Ｔ３）。
【００５４】
監視員（操作者）がコメント設定ウインドウ４０におけるコメント書込欄にコメント２７を書込むと（Ｔ４）、入力されたコメント２７、作成時刻（指定時刻）、プロセスデータ名称（信号名称（タグＮｏ））を図８に示す作成済コメントファイル２２へ書込む（Ｔ５）。その後、コメント設定ウインドウ４０を消去して、該当コメント２７を対応するグラフィックデータ２９の黒丸３１近傍に表示する（Ｔ６）。
【００５５】
さらに、表示器７にコメント２７が表示された状態において、監視員（操作者）がコメント２７をクリックすると（Ｔ７）、図２１に示すコメント修正／削除ウインドウ４１を表示する（Ｔ８）。そして、監視員（操作者）がコメント修正／削除ウインドウ４１を用いて、コメント２７に対する修正／削除操作を実施すると（Ｔ９）、図８に示す作成済コメントファイル２２の該当コメント２７を修正／削除する（Ｔ１０）。さらに、表示中コメント２７の修正／削除を実施する（Ｔ１１）。
【００５６】
このように構成されたプロセス監視装置においては、各制御装置３から伝送路１を介してプロセスデータ名称（信号名称）を指定したアラーム・イベントが入力されると、監視員（操作者）は、必要に応じてこの発生したアラーム・イベントに対して短いコメント２７を設定可能である。
【００５７】
そして、発生したアラーム・イベント３８、及び監視員（操作者）が入力したコメント２７は、図９、図１１に示すように、グラフィック表示された複数のプロセスデータの対応するプロセスデータのグラフィックデータ２９の該当時刻位置近傍に枠３０に囲まれた状態で重ね表示される。
【００５８】
したがって、監視装置の監視員（操作者）にとって、入力されたプロセスデータ及び関連するアラーム・イベント３８、コメント２７等の情報を、表示画面を一瞥するのみで即座に把握できる。
【００５９】
また、監視員（操作者）は、例えば、アラーム・イベントが発生すると、同一プロセスデータにおけるアラーム・イベントが発生していない１日（２４時間）前のデータと比較対照できる。
【００６０】
さらに、監視装置の監視員（操作者）は表示器７に一度に表示すプロセスデータの種別をキーワード検索で指定することが可能である。多数のアラーム・イベントの中から一つ又は複数のアラーム・イベントを指定して、このアラーム・イベントに対応するプロセスデータのグラフィックデータ２９を簡単に確認できる。
【００６１】
【発明の効果】
以上説明したように、本発明のプロセス監視装置においては、表示画面上における表示フォーマットと表示内容を工夫することにより、監視装置の監視員（操作者）にとって、入力されたプロセスデータ、アラーム・イベント、及び自己が書込んだコメントを、表示画面を一瞥するのみで把握でき、監視性能及び操作性能を大幅に向上できる。
【図面の簡単な説明】
【図１】本発明の一実施形態に係るプロセス監視装置が組込まれたプラント制御システムの概略構成図
【図２】同実施形態のプロセス監視装置の概略構成を示すブロック図
【図３】同実施形態のプロセス監視装置のデータベース内に形成されたプロセスデータ登録ファイルの記憶内容を示す図
【図４】同実施形態のプロセス監視装置のデータベース内に形成されたアラーム・イベント登録ファイルの記憶内容を示す図
【図５】同実施形態のプロセス監視装置のデータベース内に形成されたプロセスデータ区分け登録ファイルの記憶内容を示す図
【図６】同実施形態のプロセス監視装置のデータベース内に形成されたプロセスデータ収集ファイルの記憶内容を示す図
【図７】同実施形態のプロセス監視装置のデータベース内に形成されたアラーム・イベント発生履歴ファイルの記憶内容を示す図
【図８】同実施形態のプロセス監視装置のデータベース内に形成された作成済コメントファイルの記憶内容を示す図
【図９】同実施形態のプロセス監視装置の表示器における表示画面全体を示す図
【図１０】同実施形態のプロセス監視装置の表示器における表示画面の上部部分を示す図
【図１１】同実施形態のプロセス監視装置の表示器における表示画面の中央部分を示す図
【図１２】同実施形態のプロセス監視装置におけるメイン処理動作を示す流れ図
【図１３】同実施形態のプロセス監視装置におけるプロセスデータ区分け処理動作を示す流れ図
【図１４】同実施形態のプロセス監視装置におけるプロセスデータグラフ表示処理動作を示す流れ図
【図１５】同じく同実施形態のプロセス監視装置におけるプロセスデータグラフ表示処理動作を示す流れ図
【図１６】同実施形態のプロセス監視装置の表示器における表示画面にデータ採取期間のみが異なる各プロセスデータを２段に亘って表示した例を示す図
【図１７】同実施形態のプロセス監視装置の表示器における表示画面からコメントを消去した状態を示す図
【図１８】同実施形態のプロセス監視装置の表示器に表示されたアラーム・イベント履歴一覧を示す図
【図１９】同じく同実施形態のプロセス監視装置におけるコメント作成処理動作を示す流れ図
【図２０】同実施形態のプロセス監視装置の表示器に表示されたコメント設定ウインドウを示す図
【図２１】同実施形態のプロセス監視装置の表示器に表示されたコメント修正／削除ウインドウを示す図
【符号の説明】
３…制御装置
４…プロセス監視装置
６…データベース
７…表示器
８…キーボード
９…主処理部
１１…プロセスデータ区分け部
１２…プロセスデータ書込部
１３…アラーム・イベント書込部
１４…コメント作成部
１５…グループ表示部
１６…重ね表示部
１７…プロセスデータ登録ファイル
１８…アラーム・イベント登録ファイル
１９…プロセスデータ区分け登録ファイル
２０…プロセスデータ収集ファイル
２１…アラーム・イベント発生履歴ファイル
２２…作成済コメントファイル
２７…コメント
２９…グラフィックデータ
３８…アラーム・イベント
【図１】
2004199258.tif 000003
【図２】
2004199258.tif 000004
【図３】
2004199258.tif 000005
【図４】
2004199258.tif 000006
【図５】
2004199258.tif 000007
【図６】
2004199258.tif 000008
【図７】
2004199258.tif 000009
【図８】
2004199258.tif 000010
【図９】
2004199258.tif 000011
【図１０】
2004199258.tif 000012
【図１１】
2004199258.tif 000013
【図１２】
2004199258.tif 000014
【図１３】
2004199258.tif 000015
【図１４】
2004199258.tif 000016
【図１５】
2004199258.tif 000017
【図１６】
2004199258.tif 000018
【図１７】
2004199258.tif 000019
【図１８】
2004199258.tif 000020
【図１９】
2004199258.tif 000021
【図２０】
2004199258.tif 000022
【図２１】
2004199258.tif 000023